(57)【要約】【課題】プラズマディスプレイパネルを提供する。【解決手段】離隔されて互いに対向する第１基板及び第２基板と、第１基板と第２基板との間の空間を区画して複数の放電セルを形成する隔壁と、第１基板上に配置されて一方向に延長され、それぞれの放電セルに対応する部分に突出構造を有するＸ電極及びＹ電極と、放電セルに向かう面に溝状の電界集中部が形成され、Ｘ電極及びＹ電極を覆うように形成される第１誘電体層と、第２基板上に配置されてＸ電極と交差するように延びるＡ電極と、Ａ電極を覆うように形成される第２誘電体層と、放電セル内に配置される蛍光体層と、放電セル内に充填される放電ガスとを備え、電界集中部を第１基板に平行に切断した電界集中部の切断面の端部の幅が、電界集中部の切断面の中央部の幅より大きいプラズマディスプレイパネルである。【選択図】図６Ａ
2006351517.tif 000002
【特許請求の範囲】
【請求項１】
離隔されて互いに対向する第１基板及び第２基板と、
前記第１基板と前記第２基板との間の空間を区画して複数の放電セルを形成する隔壁と、
前記第１基板上に配置されて一方向に延長され、それぞれの前記放電セルに対応する部分に突出構造を有するＸ電極及びＹ電極と、
前記放電セルに向かう面に溝状の電界集中部が形成され、前記Ｘ電極と前記Ｙ電極とを覆うように形成される第１誘電体層と、
前記第２基板上に配置され、前記Ｘ電極と交差するように延びるＡ電極と、
前記Ａ電極を覆うように形成される第２誘電体層と、
前記放電セル内に配置される蛍光体層と、
前記放電セル内に充填される放電ガスと、を備え、
前記電界集中部を前記第１基板に平行に切断した電界集中部の切断面の端部の幅が、前記電界集中部の切断面の中央部の幅より大きいプラズマディスプレイパネル。
【請求項２】
前記電界集中部は、前記第１誘電体層の前記放電セルそれぞれに対応する部分に複数形成され、
それぞれの前記電界集中部は、前記第１誘電体層の前記隔壁に対応する部分により、互いに離隔されるように形成される請求項１に記載のプラズマディスプレイパネル。
【請求項３】
前記電界集中部の切断面の幅が、前記電界集中部の切断面の端部から前記電界集中部の切断面の中央部に向かって、放物線形態に減少する請求項１に記載のプラズマディスプレイパネル。
【請求項４】
前記電界集中部の切断面の幅が、前記電界集中部の切断面の端部から前記電界集中部の切断面の中央部に向かって、直線的に減少してから前記電界集中部の切断面の中央部の幅に一定に維持される請求項１に記載のプラズマディスプレイパネル。
【請求項５】
前記電界集中部の切断面の幅が、前記電界集中部の切断面の端部から前記電界集中部の切断面の中央部に向かって、前記電界集中部の切断面の端部の幅に一定に維持されてから前記電界集中部の切断面の中央部の幅に一定に維持される請求項１に記載のプラズマディスプレイパネル。
【請求項６】
前記Ｘ電極及び前記Ｙ電極のそれぞれが、
前記一方向に連続して延びる一体化した構造のバス電極と、
前記バス電極の前記複数の放電セルそれぞれに対応する部分に複数形成され、前記バス電極の前記隔壁に対応する部分により、互いに離隔されるように形成されるセグメント構造の透明電極と、を備える請求項１に記載のプラズマディスプレイパネル。
【請求項７】
前記Ｘ電極及び前記Ｙ電極の突出構造が前記セグメント構造の透明電極によって形成される請求項６に記載のプラズマディスプレイパネル。
【請求項８】
前記セグメント構造の透明電極は、前記第１基板側から見て長方形の突出構造になる請求項７に記載のプラズマディスプレイパネル。
【請求項９】
前記セグメント構造の透明電極は、前記第１基板側から見てＴ字状の突出構造になる請求項７に記載のプラズマディスプレイパネル。
【請求項１０】
前記電界集中部を前記第１基板に垂直でかつ前記Ａ電極に平行に切断した断面が、長方形の溝状である請求項１に記載のプラズマディスプレイパネル。
【請求項１１】
前記電界集中部を前記第１基板に垂直でかつ前記Ａ電極に平行に切断した断面が、台形の溝状である請求項１に記載のプラズマディスプレイパネル。
【請求項１２】
前記第１誘電体層を保護するための保護膜をさらに備える請求項１に記載のプラズマディスプレイパネル。
【請求項１３】
前記蛍光体層が、放電セル内の前記第２誘電体層及び前記隔壁上に形成される請求項１に記載のプラズマディスプレイパネル。
【発明の詳細な説明】
【技術分野】
【０００１】
本発明は、プラズマディスプレイパネルに係り、より詳細には、突出構造を有する電極に対して均一な電界を形成させるプラズマディスプレイパネルに関する。
【背景技術】
【０００２】
最近、プラズマディスプレイパネル(ＰＤＰ：Ｐｌａｓｍａ  Ｄｉｓｐｌａｙ  Ｐａｎｅｌ）が大型平板ディスプレイ装置として注目されている。ＰＤＰは、複数の電極が形成された両基板の間に放電ガスを封入し、電極に電圧を印加して放電を起こし、放電による真空紫外線を発生させて、真空紫外線が所定のパターンに形成された蛍光体を励起させる過程で発生する可視光線を利用して、所望の画像を表示する装置である。
【０００３】
従来のＰＤＰは、第１パネル及び第２パネルを備える。第１パネルには、第１基板、透明電極とバス電極とを備えるＸ電極(共通電極)及びＹ電極(走査電極)、第１誘電体層、及び保護膜が備えられる。第２パネルには、第２基板、Ａ電極(アドレス電極)、第２誘電体層、隔壁、及び蛍光体層が備えられる。
【０００４】
第１基板及び第２基板は、離隔されて相互に平行に対向する。両基板の間の空間は、隔壁により区画され、放電を起こす単位放電空間としての放電セルを形成する。それぞれの放電セルでＸ電極及びＹ電極とＡ電極とが交差する。放電セルの内部には、放電セル内部に備えられる誘電体などによりパネルキャパシタが形成される。すなわち、放電セルは、誘電体と放電セルを取り囲む電極によって形成されるパネルキャパシタに等価モデリングされうる。
【０００５】
維持放電を起こすＸ電極とＹ電極間の距離が近くなれば、それだけ印加しなければならない駆動電圧を低めうるという長所がある。一方、放電空間を広く活用できないので、発光効率が落ちて高輝度の表現が困難になるという短所がある。また、Ｘ電極とＹ電極間の距離が近くなれば、それだけパネルキャパシタが増加するという短所もある。
【０００６】
維持放電を起こすＸ電極とＹ電極間の距離が遠くなれば、放電空間を広く活用できて発光効率が上昇するという長所がある。一方、それだけ印加しなければならない駆動電圧を高めなければならないため、消費電力が増加するという短所がある。
【発明の開示】
【発明が解決しようとする課題】
【０００７】
本発明は、突出構造を有する電極に対して均一な電界を形成させるＰＤＰを提供することをその目的とする。
【課題を解決するための手段】
【０００８】
前記の目的を達成するために本発明は、離隔されて互いに対向する第１基板及び第２基板と、前記第１基板と前記第２基板との間の空間を区画して複数の放電セルを形成する隔壁と、前記第１基板上に配置されて一方向に延長され、それぞれの前記放電セルに対応する部分に突出構造を有するＸ電極及びＹ電極と、前記放電セルに向かう面に溝状の電界集中部が形成され、前記Ｘ電極と前記Ｙ電極とを覆うように形成される第１誘電体層と、前記第２基板上に配置され、前記Ｘ電極と交差するように延びるＡ電極と、前記Ａ電極を覆うように形成される第２誘電体層と、前記放電セル内に配置される蛍光体層と、前記放電セル内に充填される放電ガスと、を備え、前記電界集中部を前記第１基板に平行に切断した電界集中部の切断面の端部の幅が、前記電界集中部の切断面の中央部の幅より大きいＰＤＰを提供する。
【０００９】
前記電界集中部は、前記第１誘電体層の前記放電セルそれぞれに対応する部分に複数形成され、それぞれの前記電界集中部は、前記第１誘電体層の前記隔壁に対応する部分により、互いに離隔されるように形成されることが望ましい。
【００１０】
前記電界集中部の切断面の幅が、前記電界集中部の切断面の端部から前記電界集中部の切断面の中央部に向かって、放物線形態に減少することが望ましい。
前記電界集中部の切断面の幅が、前記電界集中部の切断面の端部から前記電界集中部の切断面の中央部に向かって、直線的に減少してから前記電界集中部の切断面の中央部の幅に一定に維持されることが望ましい。
【００１１】
前記電界集中部の切断面の幅が、前記電界集中部の切断面の端部から前記電界集中部の切断面の中央部に向かって、前記電界集中部の切断面の端部の幅に一定に維持されてから前記電界集中部の切断面の中央部の幅に一定に維持されることが望ましい。
【００１２】
前記Ｘ電極及び前記Ｙ電極のそれぞれが、前記一方向に連続して延びる一体化した構造のバス電極と、前記バス電極の前記複数の放電セルそれぞれに対応する部分に複数形成され、前記バス電極の前記隔壁に対応する部分により、互いに離隔されるように形成されるセグメント構造の透明電極を備えることが望ましい。
【００１３】
前記Ｘ電極及び前記Ｙ電極の突出構造が前記セグメント構造の透明電極によって形成されることが望ましい。
前記セグメント構造の透明電極は、前記第１基板側から見て、長方形の突出構造になることが望ましい。
【００１４】
前記セグメント構造の透明電極は、前記第１基板側から見て、Ｔ字状の突出構造になることが望ましい。
前記電界集中部を前記第１基板に垂直でかつ前記Ａ電極に平行に切断した断面が、長方形の溝状であることが望ましい。
【００１５】
前記電界集中部を前記第１基板に垂直でかつ前記Ａ電極に平行に切断した断面が、台形の溝状であることが望ましい。
【発明の効果】
【００１６】
本発明によれば、突出構造を有する電極に均一な電界を形成させることによって、安定的な放電を通じてＰＤＰの表示品質を向上させることができる。
【発明を実施するための最良の形態】
【００１７】
以下、添付した図面を参照して、本発明の望ましい実施形態を詳細に説明する。
図１は、本発明による電界集中部が形成される望ましい実施形態であって、ＰＤＰの分離斜視図である。図２は、図１に示したＰＤＰのＩＩ−ＩＩ線による断面図である。
図面を参照すれば、ＰＤＰ１は、第１パネル１０及び第２パネル２０を備える。第１パネル１０は、第１基板１０２、Ｘ電極１１２、Ｙ電極１１４、第１誘電体層１０９ａ、及び保護膜１１０を備える。Ｘ電極１１２は、透明電極１１２ａとバス電極１１２ｂとを備える。Ｙ電極１１４は、透明電極１１４ａとバス電極１１４ｂとを備える。第２パネル２０は、第２基板１０４、Ａ電極１１６、第２誘電体層１０９ｂ、隔壁１０６、及び蛍光体層１０８を備える。
【００１８】
第１基板１０２と第２基板１０４とは、所定間隔で離隔されて相互に対向する。この時、第１基板１０２と第２基板１０４とは、互いに平行に配置されうる。隔壁１０６は、第１基板１０２と第２基板１０４との間の空間を区画して複数の放電セルを形成する。
【００１９】
Ａ電極１１６は、第２基板１０４上に配置され、Ｘ電極１１２及びＹ電極１１４と交差するように延びる。この時、それぞれの放電セルでＸ電極１１２及びＹ電極１１４とＡ電極１１６とが交差する。前記放電セル内の隔壁１０６及び第２誘電体層１０９ｂ上には、蛍光体層１０８が形成される。また、放電セル内には放電ガスが充填される。
【００２０】
第１誘電体層１０９ａは、Ｘ電極１１２とＹ電極１１４とを覆うように形成される。第１誘電体層１０９ａには、放電セルに向かう面に溝状の電界集中部が形成される。前記第１誘電体層１０９ａの放電セルに向かう面には、第１誘電体層１０９ａを保護するための酸化マグネシウム(ＭｇＯ）の保護層１１０が形成される。第２誘電体層１０９ｂは、Ａ電極１１６を覆うように形成される。
【００２１】
Ｘ電極１１２及びＹ電極１１４は、第１基板１０２上に一方向に延長されるように配置されるが、それぞれの放電セルに対応する部分が突き出した構造を有する。電界集中部１２０は、第１基板１０２に平行に切断した電界集中部の切断面の端部の幅が、前記電界集中部の切断面の中央部の幅より大きい。
【００２２】
また、電界集中部１２０を第１基板１０２に垂直でかつＡ電極１１６に平行に切断した断面が、長方形の溝状であることが望ましい。
但し、図５ないし図６Ｃに示したように、電界集中部１２０を第１基板１０２に垂直でかつＡ電極１１６に平行に切断した断面が、台形の溝状である実施形態も可能である。
【００２３】
第１基板１０２と第２基板１０４との間の空間は、隔壁１０６により区画されて放電を起こす単位放電空間としての放電セルを形成する。放電セルの内部には、大気圧より低い圧力の放電ガス(約０.５ａｔｍ以下)が充填される。それぞれの放電セルに関与したそれぞれの電極に印加される駆動電圧により形成される電場により、放電ガス粒子と電荷が衝突してプラズマ放電が起き、プラズマ放電の結果により真空紫外線が発生する。
【００２４】
放電ガスとしては、Ｎｅガス、Ｈｅガス、またはＡｒガスのうちいずれか一つまたは二つ以上のガスにＸｅガスを混合した混合ガスが用いられる。
隔壁１０６は、放電セルを画定して画像の基本単位を形成させ、放電セル間のクロストークを防止する役割を担う。本発明の望ましい実施形態によるＰＤＰの放電セルを第１基板及び第２基板に平行に切断した断面は、四角形、六角形または八角形などの多角形構造や円形または楕円形構造を有し得、このような形状は、隔壁１０６が配置される形状によって形成される。
【００２５】
蛍光体層１０８では、放電により発生する真空紫外線(ＶＵＶ：Ｖａｃｕｕｍ  Ｕｌｔｒａ  Ｖｉｏｌｅｔ）が吸収されることによって、励起される電子が再び安定状態になる時、可視光線を発散するフォトルミネッセンス発光メカニズムが発生する。蛍光体層１０８は、ＰＤＰがカラー画像を具現できるように赤色発光蛍光体層、緑色発光蛍光体層及び青色発光蛍光体層を備え、赤色発光蛍光体層、緑色発光蛍光体層及び青色発光蛍光体層が放電セル内に配置されて単位画素を形成しうる。
【００２６】
赤色発光蛍光体としては、(Ｙ、Ｇｄ)ＢＯ３:Ｅｕ３+などがあり、緑色発光蛍光体としては、Ｚｎ２Ｓｉ０４:Ｍｎ２+などがあり、青色発光蛍光体としては、ＢａＭｇＡｌ１０Ｏ１７:Ｅｕ２+などがある。図面では、蛍光体層１０８が放電セル内の第２誘電体層１０９ｂ及び隔壁１０６上に形成されるものとして示されている。しかし、本発明では、蛍光体層の配置がこれに限定されず、多様な実施形態を有しうる。
【００２７】
第１誘電体層１０９ａは、Ｘ電極１１２及びＹ電極１１４の絶縁膜として使われる誘電体層であって、高い絶縁抵抗及び光透過率の良い材料を使用する。放電により発生した電荷の一部は、各電極１１２、１１４に印加される電圧の極性による電気的な引力に引かれて第１誘電体層１０９ａの近く(保護膜１１０を挟んで)で蓄積されて壁電荷を形成する。
第２誘電体層１０９ｂは、Ａ電極１１６の絶縁膜として使われる誘電体層であって、絶縁抵抗の高い材料を使用する。
【００２８】
保護膜１１０は、第１誘電体層１０９ａを保護し、放電時に２次電子の放出を増加させて放電を容易にする。保護膜１１０は、酸化マグネシウム(ＭｇＯ)などの材料を使用して形成する。
【００２９】
透明電極１１２ａ、１１４ａは、放電セルから発散される可視光線を透過させるためにＩＴＯ(Ｉｎｄｉｕｍ  Ｔｉｎ  Ｏｘｉｄｅ)などの透明材質を使用する。一方、透明電極１１２ａ、１１４ａは、一般的に電気抵抗が高いため、高い電気伝導度を有する金属で形成されたバス電極１１２ｂ、１１４ｂを補助的に備え、各電極１１２、１１４の電気伝導度を向上させている。
【００３０】
電界集中部１２０は、第１誘電体層１０９ａをエッチングするなどの方法により形成される。Ｘ電極１１２とＹ電極１１４との間の放電経路は、電界集中部１２０により短縮され、放電経路の短縮と共に溝状の空間に電界が集中する効果を有するので、電子(負極性電荷)とイオン(正極性電荷）の密度が増加してＸ電極１１２とＹ電極１１４間の放電を容易にする。また、Ｘ電極１１２とＹ電極１１４との間の距離を広げうる分放電空間を広く活用できて発光効率が向上し、第１誘電体層１０９ａをエッチングした分放電セルから放出される可視光線の第１パネル透過率が向上する。
【００３１】
図面には、電界集中部１２０を第１基板１０２に垂直でかつＡ電極１１６に平行に切断した断面が、長方形の溝状に示されている。但し、図５に示したように、電界集中部８２０を第１基板８０２に垂直でかつＡ電極８１６に平行に切断した断面を、台形の溝状にできる。しかし、本発明において、電界集中部１２０を第１基板１０２に垂直でかつＡ電極１１６に平行に切断した断面は、このような形態に限定されず、多様な形状を有しうる。
【００３２】
図３Ａないし図３Ｃは、本発明によるＰＤＰの望ましい実施形態であって、電界集中部が形成された放電セルを第１基板側から見た形状を示した図面である。
図面を参照すれば、隔壁６０６は、第１基板１０２(図１参照)と第２基板１０４(図１参照)との間の空間を区画して複数の放電セルを形成する。Ａ電極６１６は、第２基板１０４(図１参照)上に配置され、Ｘ電極６１２及びＹ電極６１４と交差するように延びる。Ｘ電極６１２及びＹ電極６１４は、それぞれの放電セルに対応する部分が突き出した構造を有する。
【００３３】
Ｘ電極６１２及びＹ電極６１４は、それぞれバス電極６１２ｂ、６１４ｂと透明電極６１２ａ、６１４ａとを備える。バス電極６１２ｂ、６１４ｂは、一方向に連続して延びる一体化した構造で形成される。透明電極６１２ａ、６１４ａは、複数の放電セルのそれぞれに対応する部分に複数セグメント構造で形成される。
【００３４】
すなわち、透明電極６１２ａ、６１４ａは、バス電極６１２ｂ、６１４ｂの放電セルに対応する部分から中央部に向かう方向に突き出して形成される。透明電極６１２ａ、６１４ａは、バス電極６１２ｂ、６１４ｂの隔壁に対応する部分により、互いに離隔されるように形成されるセグメント構造を有する。但し、透明電極６１２ａ、６１４ａの形状は、これに限定されず、透明電極６１２ａ、６１４ａがセグメント構造の代わりに一体に形成される実施形態も可能である。
【００３５】
この時、セグメント構造の透明電極６１２ａ、６１４ａを第１基板側から見た形状が、長方形の突出構造になることが望ましい。但し、透明電極６１２ａ、６１４ａが長方形の突出構造になる場合には、図面上の点線で表示した円部分のように角部６１３を有するようになる。また、透明電極６１２ａ、６１４ａのそれぞれの放電セルでの角部６１３に電界が集中できる。すなわち、角部６１３に電界が集中してＸ電極６１２とＹ電極６１４との間の放電空間で電界が不均一に形成されうる。
【００３６】
したがって、本発明では、電界集中部６２０ａ、６２０ｂ、６２０ｃを第１基板１０２に平行に切断した電界集中部の切断面の端部の幅ｄ１が、電界集中部の切断面の中央部の幅ｄ２より大きい値を有するように、電界集中部６２０ａ、６２０ｂ、６２０ｃを形成させる。すなわち、電界集中部６２０ａ、６２０ｂ、６２０ｃが透明電極６１２ａ、６１４ａの角部６１３による電界集中効果を相殺できる形状に設計されうる。
【００３７】
電界集中部６２０ａ、６２０ｂ、６２０ｃでは、溝状の空間に電界が集中される効果がある。この場合、電界が集中される効果は、電界集中部６２０の幅が狭いほど強く現れる。すなわち、電界集中部６２０ａ、６２０ｂ、６２０ｃの幅を広くすれば、幅が広い部分に対応する放電空間では電界が集中する効果が低下し、電界集中部６２０ａ、６２０ｂ、６２０ｃの幅を狭くすれば、幅が狭い部分に対応する放電空間では電界が集中する効果が大きくなる。
【００３８】
本発明は、電極の角部６１３と電界集中部６２０ａ、６２０ｂ、６２０ｃのこのような電界集中性質を利用する。すなわち、本発明では、透明電極６１２ａ、６１４ａの角部６１３に対応する電界集中部６２０ａ、６２０ｂ、６２０ｃの部分(電界集中部の端部）の幅ｄ１は広げ、透明電極６１２ａ、６１４ａの中央部に対応する電界集中部の部分(電界集中部の中央部)の幅ｄ２は狭くする。
【００３９】
したがって、Ｘ電極６１２とＹ電極６１４との間の放電空間の電界集中部６２０ａ、６２０ｂ、６２０ｃに対応する部分全体にわたって均一な電界が形成される。透明電極６１２ａ、６１４ａの中央部に対応する電界集中部の部分(電界集中部の中央部)では、角部がない点を勘案して電界集中部の幅を狭くすることで、角部６１３に対応する電界集中部の端部部で形成される電界の強さと同等な程度の強さを有する電界を形成させようとするものである。
【００４０】
このために、電界集中部６２０ａ、６２０ｂ、６２０ｃは、第１誘電体層１１０の放電セルそれぞれに対応する部分に複数形成されうる。それぞれの電界集中部６２０ａ、６２０ｂ、６２０ｃは、第１誘電体層１１０の隔壁１０６に対応する部分により、互いに離隔されるように形成されることが望ましい。
【００４１】
電界集中部６２０ａ、６２０ｂ、６２０ｃは、図３Ａないし図３Ｃに示したように多様な平面形状を有しうる。図３Ａでは、電界集中部６２０ａの切断面の幅が、電界集中部の切断面の端部から電界集中部の切断面の中央部に向かって放物線形態に減少する。すなわち、電界集中部の切断面の幅が端部から中央部へ行くほどｄ１からｄ２に放物線形態に減少する。
【００４２】
図３Ｂでは、電界集中部６２０ｂの切断面の幅が、電界集中部の切断面の端部から電界集中部の切断面の中央部に向かって、直線的に減少してから電界集中部の切断面の中央部の幅ｄ２に一定に維持される。すなわち、電界集中部の切断面の幅が端部から中央部へ行くほどｄ１からｄ２に直線的に減少してから中央部の幅ｄ２に一定に維持される。
【００４３】
図３Ｃでは、電界集中部６２０ｃの切断面の幅が、電界集中部の切断面の端部から電界集中部の切断面の中央部に向かって、電界集中部の切断面の端部の幅ｄ１に一定に維持されてから電界集中部の切断面の中央部の幅ｄ２に一定に維持される。図３Ａないし図３Ｃの場合は、何れも電界集中部の切断面の端部の幅ｄ１が電界集中部の切断面の中央部の幅ｄ２より大きい。
【００４４】
図４Ａないし図４Ｃは、本発明によるＰＤＰの望ましい他の実施形態であって、電界集中部が形成された放電セルを第１基板側から見た形状を示した図面である。
図面を参照すれば、図１及び図２に示したＰＤＰにおいて、図３Ａないし図３Ｃに示した実施形態とは透明電極の構造が異なる実施形態である。以下に説明する透明電極７１２ａ、７１４ａの構造を除いて、図１ないし図３Ｃに示した実施形態と同じ機能を行う同じ構成要素については、類似した参照番号を使用し、その詳細な説明を省略する。
【００４５】
但し、本実施形態によれば、透明電極７１２ａ、７１４ａは、図３Ａないし図３Ｃに示した実施形態のようにセグメント構造を有するが、第１基板１０２(図１参照)側から見た形状がＴ字状の突出構造となる。本実施形態の場合には、図３Ａないし図３Ｃに示した実施形態に比べて、放電セルから発散される可視光線が第１パネル１０を透過するにおいて通過せねばならない透明電極の面積が小さくなる。したがって、本実施形態による透明電極７１２ａ、７１４ａを備えるＰＤＰでは、それだけ可視光線の透過率が向上する。
【００４６】
電界集中部７２０ａ、７２０ｂ、７２０ｃは、図４Ａないし図４Ｃに示したように多様な平面形状を有しうる。図４では、電界集中部７２０ａの切断面の幅が、電界集中部の切断面の端部から電界集中部の切断面の中央部に向かって放物線形態に減少する。すなわち、電界集中部の切断面の幅が端部から中央部へ行くほどｄ１からｄ２に放物線形態に減少する。
【００４７】
図４Ｂでは、電界集中部７２０ｂ切断面の幅が、電界集中部の切断面の端部から電界集中部の切断面の中央部に向かって、直線的に減少してから電界集中部の切断面の中央部の幅ｄ２に一定に維持される。すなわち、電界集中部の切断面の幅が端部から中央部へ行くほどｄ１からｄ２に直線的に減少してから中央部の幅ｄ２に一定に維持される。
【００４８】
図４Ｃでは、電界集中部７２０ｃの切断面の幅が、電界集中部の切断面の端部から電界集中部の切断面の中央部に向かって、電界集中部の切断面の端部の幅ｄ１に一定に維持されてから電界集中部の切断面の中央部の幅ｄ２に一定に維持される。図４Ａないし図４Ｃの場合は、何れも電界集中部の切断面の端部の幅ｄ１が電界集中部の切断面の中央部の幅ｄ２より大きい。
【００４９】
図５は、図２Ａないし図３Ｃに示したＰＤＰにおいて、それぞれ電界集中部の望ましい他の実施形態を示した断面図である。図６Ａないし図６Ｃは、図２Ａないし図３Ｃに示したＰＤＰにおいて、相異なる形状を有する電界集中部が形成された第１パネルの実施形態を示した図面である。
【００５０】
図面を参照すれば、図１ないし図３Ｃに示したＰＤＰにおいて、電界集中部９２０ａ、９２０ｂ、９２０ｃを第１基板８０２に垂直でかつＡ電極８１６に平行に切断した断面が、台形の溝状でありうる。これにより、突出電極の角部による電界集中効果を緩和させ、第１基板８０２を介した可視光線の透過率を高めて、表示される映像の輝度を向上させうる。
【００５１】
ここで、電界集中部９２０ａ、９２０ｂ、９２０ｃの形状を除いて、図１ないし図３Ｃに示した実施形態と同じ機能を行う同じ構成要素については、類似した参照番号を使用し、これらの詳細な説明を省略する。
【００５２】
図６Ａないし図６Ｃを見れば、電界集中部９２０ａ、９２０ｂ、９２０ｃが互いに離隔されている構造であることが分かる。すなわち、電界集中部９２０ａ、９２０ｂ、９２０ｃは、第１誘電体層８０９ａの複数の放電セル(図６Ａないし図６Ｃでは６個の放電セルに対応)のそれぞれに対応する部分に複数(図６Ａないし図６Ｃでは６個の電界集中部)形成される。この時、複数の電界集中部のそれぞれは、第１誘電体層８０９ａの隔壁に対応する部分により、互いに離隔されるように形成される構造でありうる。
【００５３】
本発明は、図面に示された実施形態を参考として説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想によって決定されねばならない。
【産業上の利用可能性】
【００５４】
本発明は、プラズマディスプレイパネル関連の技術分野に好適に用いられる。
【図面の簡単な説明】
【００５５】
【図１】本発明による電界集中部が形成される望ましい実施形態であって、ＰＤＰの分離斜視図である。
【図２】図１に示したＰＤＰのＩＩ−ＩＩ線による断面図である。
【図３Ａ】本発明によるＰＤＰの望ましい実施形態であって、電界集中部が形成された放電セルを第１基板側から見た形状を示した図面である。
【図３Ｂ】本発明によるＰＤＰの望ましい実施形態であって、電界集中部が形成された放電セルを第１基板側から見た形状を示した図面である。
【図３Ｃ】本発明によるＰＤＰの望ましい実施形態であって、電界集中部が形成された放電セルを第１基板側から見た形状を示した図面である。
【図４Ａ】本発明によるＰＤＰの望ましい他の実施形態であって、電界集中部が形成された放電セルを第１基板側から見た形状を示した図面である。
【図４Ｂ】本発明によるＰＤＰの望ましい他の実施形態であって、電界集中部が形成された放電セルを第１基板側から見た形状を示した図面である。
【図４Ｃ】本発明によるＰＤＰの望ましい他の実施形態であって、電界集中部が形成された放電セルを第１基板側から見た形状を示した図面である。
【図５】図３Ａないし図３Ｃに示したＰＤＰにおいて、電界集中部の望ましい他の実施形態を示した断面図である。
【図６Ａ】図３Ａないし図３Ｃに示したＰＤＰにおいて、相異なる形状を有する電界集中部が形成された第１パネルの実施形態を示した図面である。
【図６Ｂ】図３Ａないし図３Ｃに示したＰＤＰにおいて、相異なる形状を有する電界集中部が形成された第１パネルの実施形態を示した図面である。
【図６Ｃ】図３Ａないし図３Ｃに示したＰＤＰにおいて、相異なる形状を有する電界集中部が形成された第１パネルの実施形態を示した図面である。
【符号の説明】
【００５６】
１０２、８０２  第１基板
１０４、８０４  第２基板、
１０６、６０６、７０６、８０６  隔壁
１０８、８０８  蛍光体層、
１０９ａ、８０９ａ  第１誘電体層
１０９ｂ、８０９ｂ  第２誘電体層、
１１０、８１０  保護膜、
１１２、６１２、７１２、８１２  Ｘ電極、
１１４、６１４、７１４、８１４  Ｙ電極、
１１６、６１６、７１６、８１６  Ａ電極、
６１３、７１３  角部、
６２０ａ、６２０ｂ、６２０ｃ、７２０ａ、７２０ｂ、７２０ｃ、８２０、９２０ａ、９２０ｂ、９２０ｃ  電界集中部
【図１】
2006351517.tif 000003
【図２】
2006351517.tif 000004
【図３Ａ】
2006351517.tif 000005
【図３Ｂ】
2006351517.tif 000006
【図３Ｃ】
2006351517.tif 000007
【図４Ａ】
2006351517.tif 000008
【図４Ｂ】
2006351517.tif 000009
【図４Ｃ】
2006351517.tif 000010
【図５】
2006351517.tif 000011
【図６Ａ】
2006351517.tif 000012
【図６Ｂ】
2006351517.tif 000013
【図６Ｃ】
2006351517.tif 000014